(57)【要約】【課題】前面カバー部材を開放した際に、前面カバー部材の裏面に設けられた連通部材に残った遊技球が、遊技機の外側に落下するのを抑止できる遊技機を提供する。【解決手段】払出装置から払い出される遊技球を貯留する球受け皿が前面側に配設されて、前枠を露出させる開放状態と、前枠を覆う閉鎖状態との間で移行可能とした前面カバー部材を備えた遊技機において、前面カバー部材は、払出装置から払い出された遊技球を前枠の前面部から球受け皿の球出口まで案内する連通部材を有し、連通部材は、前面カバー部材が閉鎖状態から開放状態に移行する際に、該連通部材内に残った遊技球を一時的に保留可能な保留手段と、前面カバー部材が開放状態から閉鎖状態に移行する際に、保留手段に保留された遊技球を排出可能な排出手段と、を有し、排出手段によって排出された遊技球は、前枠の前面部に設けられた排出通路に案内されるように構成する。【選択図】図５
2018019757.tif 000002
【特許請求の範囲】
【請求項１】
外枠と、前記外枠の前面側に配置されて遊技盤を収容する前枠と、前記前枠の前面側に配置されて、払出装置から払い出される遊技球を貯留する球受け皿が前面側に配設された前面カバー部材と、を備え、
前記前面カバー部材は、前記前枠を露出させる開放状態と、前記前枠を覆う閉鎖状態との間で移行可能とした遊技機において、
前記前面カバー部材は、前記払出装置から払い出された遊技球を前記前枠の前面部から前記球受け皿の球出口まで案内する連通部材を有し、
前記連通部材は、
前記前面カバー部材が前記閉鎖状態から前記開放状態に移行する際に、該連通部材内に残った遊技球を一時的に保留可能な保留手段と、
前記前面カバー部材が前記開放状態から前記閉鎖状態に移行する際に、前記保留手段に保留された遊技球を排出可能な排出手段と、
を有し、
前記排出手段によって排出された遊技球は、前記前枠の前面部に設けられた排出通路に案内されることを特徴とする遊技機。
【請求項２】
前記保留手段は、
前記前面カバー部材の前記閉鎖状態において、前記前枠の前面部に設けられた遊技球払出口に隣接する球流入口が、前記球受け皿に対して反対側の背面部に形成された本体部と、
前記前面カバー部材の前記閉鎖状態において、前記球流入口から前記球出口まで連通する連通路を前記本体部内に形成する連通路形成手段と、
を有し、
前記前面カバー部材が前記閉鎖状態から前記開放状態に移行する際に、前記連通路形成手段は、前記連通路の底面部を移動させて、該連通路内に残った遊技球を前記本体部内に流下させて保留することを特徴とする請求項１に記載の遊技機。
【請求項３】
前記本体部は、下方が開放された略箱体状に形成され、
前記連通路形成手段は、
前記本体部の前記球受け皿側の下端縁部から前記前面カバー部材の前側方向へ所定深さ窪んで、断面が該前面カバー部材の左右方向に長い横長四角形状に形成された案内凹部と、
前記本体部内に配置されて、平面視矩形状で前記球流入口に嵌入されて底面部が前記球流入口の下端縁部に摺動可能に当接され、前記前面カバー部材の前記閉鎖状態において、前記連通路の底面部を構成する第１板部と、前記第１板部の前記球受け皿側の側縁から略直角下方に延出された正面視矩形状の第２板部と、前記第２板部の下端の側縁から略直角に前記球受け皿側へ前記第１板部よりも長くなるように延出されて前記案内凹部に摺動移動可能に嵌入された平面視矩形状の第３板部と、を有する側面視クランク状に形成されたクランク部材と、
前記案内凹部内に配置されて前記クランク部材を前記前面カバー部材の裏側方向へ付勢する付勢部材と、
を有し、
前記前面カバー部材が前記閉鎖状態から前記開放状態に移行する際に、前記第２板部が前記本体部の前記球受け皿に対して反対側の内側面に当接されて、前記第３板部によって前記本体部の下端部が閉鎖されて、該本体部内に遊技球を保留する保留スペースが形成されることを特徴とする請求項２に記載の遊技機。
【請求項４】
前記排出手段は、前記第２板部に形成されて、前記第３板部上の遊技球が流下可能な排出口を有し、
前記前面カバー部材が前記開放状態から前記閉鎖状態に移行する際に、前記第２板部が前記本体部の前記球受け皿側の内側面に当接又は近接されて、前記保留スペース内の遊技球が前記排出口から排出されて該本体部の下方に流下することを特徴とする請求項３に記載の遊技機。
【請求項５】
前記第３板部の上面部は、前記第２板部から離れる従って高くなるように傾斜すると共に、前記第２板部の下端の側縁に沿った方向の断面の上端縁部が湾曲状に下方に窪むように形成され、
前記排出口の下端部は、前記第２板部の下端の側縁の略中央部に位置することを特徴とする請求項４に記載の遊技機。
【請求項６】
前記第１板部の上面部は、前記第２板部から離れる従って高くなるように傾斜し、
前記前面カバー部材の前記閉鎖状態において、前記第１板部の前記前枠側の側縁は、前記遊技球払出口の下端縁部に当接又は近接することを特徴とする請求項３乃至請求項５のいずれかに記載の遊技機。
【請求項７】
前記第２板部は、前記第１板部側の面に所定高さ垂直に突出する案内ピンを有し、
前記本体部は、前記球受け皿に対して反対側の背面部に前記案内ピンが嵌挿される貫通孔を有し、
前記前面カバー部材の前記閉鎖状態において、前記案内ピンの少なくとも先端部が前記貫通孔に嵌挿されていることを特徴とする請求項３乃至請求項６のいずれかに記載の遊技機。
【請求項８】
前記前枠は、該前枠の前面部から前側方向に立設されて、前記前面カバー部材の前記閉鎖状態において、前記本体部から流下する遊技球を受ける球受け板を有し、
前記球受け板は、前記排出通路側に向かって斜め下方向に傾斜して、上面に流下した遊技球を該排出通路に案内することを特徴とする請求項４乃至請求項７のいずれかに記載の遊技機。
【請求項９】
前記前面カバー部材の下側に隣接して前記前枠の前面側の一部を覆うと共に、前記球受け皿から溢れた遊技球を貯留する下側球受け皿が前面側に配設された下側前面カバー部材を備え、
前記排出通路は、前記下側球受け皿の下皿球出口に連通するように設けられていることを特徴とする請求項１乃至請求項８のいずれかに記載の遊技機。
【発明の詳細な説明】
【技術分野】
【０００１】
本発明は、パチンコ遊技機等の遊技機に関するものである。
【背景技術】
【０００２】
従来より、入賞口への入賞に対して所定個数の遊技球が払い出されるパチンコ遊技機等の遊技機が種々提案されている。
【０００３】
例えば、下記特許文献１に記載された遊技機では、前面枠の前面であってガラス枠の背後に相当する位置に、球払出装置から払い出された遊技球を上皿へ払い出すための球払出口が設けられている。また、ガラス枠の裏面には、球払出口から払い出された遊技球を上皿へ案内する上皿連通路が設けられている。また、前枠の前面の下部には発射ユニットが配置され、該発射ユニットの左方には右下がりに傾斜した発射レールと戻り球流下口が設けられ、この戻り球流下口の前方は落下球流下部材で覆われている。この落下球流下部材の前面左側部には、ガラス枠を開いた際に球払出流路に残っている遊技球が落下するのを防止する球受け皿が設けられ、この落下した遊技球が戻り球流下口へ流下するように構成されている。
【先行技術文献】
【特許文献】
【０００４】
【特許文献１】特開２０１３−６３１２９号公報
【発明の概要】
【発明が解決しようとする課題】
【０００５】
しかしながら、前記した特許文献１に記載された遊技機では、ガラス枠を手前側に開いた際に、ガラス枠の裏面に設けられた上皿連通路内に残っている遊技球が、この上皿連通路の球流入口から落下する虞がある。そして、この上皿連通路の球流入口から落下した遊技球が、遊技機の外側に落下して、遊技者が払い出された遊技球を紛失する虞がある。
【０００６】
かかる問題に鑑み、本発明は、前面カバー部材を開放した際に、前面カバー部材の裏面に設けられた連通部材に残った遊技球が、遊技機の外側に落下するのを抑止できる遊技機を提供することを目的とする。
【課題を解決するための手段】
【０００７】
前記目的を達成するため請求項１に係る遊技機は、外枠と、前記外枠の前面側に配置されて遊技盤を収容する前枠と、前記前枠の前面側に配置されて、払出装置から払い出される遊技球を貯留する球受け皿が前面側に配設された前面カバー部材と、を備え、前記前面カバー部材は、前記前枠を露出させる開放状態と、前記前枠を覆う閉鎖状態との間で移行可能とした遊技機において、前記前面カバー部材は、前記払出装置から払い出された遊技球を前記前枠の前面部から前記球受け皿の球出口まで案内する連通部材を有し、前記連通部材は、前記前面カバー部材が前記閉鎖状態から前記開放状態に移行する際に、該連通部材内に残った遊技球を一時的に保留可能な保留手段と、前記前面カバー部材が前記開放状態から前記閉鎖状態に移行する際に、前記保留手段に保留された遊技球を排出可能な排出手段と、を有し、前記排出手段によって排出された遊技球は、前記前枠の前面部に設けられた排出通路に案内されることを特徴とする。
【０００８】
また、請求項２に係る遊技機は、請求項１に記載の遊技機において、前記保留手段は、前記前面カバー部材の前記閉鎖状態において、前記前枠の前面部に設けられた遊技球払出口に隣接する球流入口が、前記球受け皿に対して反対側の背面部に形成された本体部と、前記前面カバー部材の前記閉鎖状態において、前記球流入口から前記球出口まで連通する連通路を前記本体部内に形成する連通路形成手段と、を有し、前記前面カバー部材が前記閉鎖状態から前記開放状態に移行する際に、前記連通路形成手段は、前記連通路の底面部を移動させて、該連通路内に残った遊技球を前記本体部内に流下させて保留することを特徴とする。
【０００９】
また、請求項３に係る遊技機は、請求項２に記載の遊技機において、前記本体部は、下方が開放された略箱体状に形成され、前記連通路形成手段は、前記本体部の前記球受け皿側の下端縁部から前記前面カバー部材の前側方向へ所定深さ窪んで、断面が該前面カバー部材の左右方向に長い横長四角形状に形成された案内凹部と、前記本体部内に配置されて、平面視矩形状で前記球流入口に嵌入されて底面部が前記球流入口の下端縁部に摺動可能に当接され、前記前面カバー部材の前記閉鎖状態において、前記連通路の底面部を構成する第１板部と、前記第１板部の前記球受け皿側の側縁から略直角下方に延出された正面視矩形状の第２板部と、前記第２板部の下端の側縁から略直角に前記球受け皿側へ前記第１板部よりも長くなるように延出されて前記案内凹部に摺動移動可能に嵌入された平面視矩形状の第３板部と、を有する側面視クランク状に形成されたクランク部材と、前記案内凹部内に配置されて前記クランク部材を前記前面カバー部材の裏側方向へ付勢する付勢部材と、を有し、前記前面カバー部材が前記閉鎖状態から前記開放状態に移行する際に、前記第２板部が前記本体部の前記球受け皿に対して反対側の内側面に当接されて、前記第３板部によって前記本体部の下端部が閉鎖されて、該本体部内に遊技球を保留する保留スペースが形成されることを特徴とする。
【００１０】
また、請求項４に係る遊技機は、請求項３に記載の遊技機において、前記排出手段は、前記第２板部に形成されて、前記第３板部上の遊技球が流下可能な排出口を有し、前記前面カバー部材が前記開放状態から前記閉鎖状態に移行する際に、前記第２板部が前記本体部の前記球受け皿側の内側面に当接又は近接されて、前記保留スペース内の遊技球が前記排出口から排出されて該本体部の下方に流下することを特徴とする。
【００１１】
また、請求項５に係る遊技機は、請求項４に記載の遊技機において、前記第３板部の上面部は、前記第２板部から離れる従って高くなるように傾斜すると共に、前記第２板部の下端の側縁に沿った方向の断面の上端縁部が湾曲状に下方に窪むように形成され、前記排出口の下端部は、前記第２板部の下端の側縁の略中央部に位置することを特徴とする。
【００１２】
また、請求項６に係る遊技機は、請求項３乃至請求項５のいずれかに記載の遊技機において、前記第１板部の上面部は、前記第２板部から離れる従って高くなるように傾斜し、前記前面カバー部材の前記閉鎖状態において、前記第１板部の前記前枠側の側縁は、前記遊技球払出口の下端縁部に当接又は近接することを特徴とする。
【００１３】
また、請求項７に係る遊技機は、請求項３乃至請求項６のいずれかに記載の遊技機において、前記第２板部は、前記第１板部側の面に所定高さ垂直に突出する案内ピンを有し、前記本体部は、前記球受け皿に対して反対側の背面部に前記案内ピンが嵌挿される貫通孔を有し、前記前面カバー部材の前記閉鎖状態において、前記案内ピンの少なくとも先端部が前記貫通孔に嵌挿されていることを特徴とする。
【００１４】
また、請求項８に係る遊技機は、請求項４乃至請求項７のいずれかに記載の遊技機において、前記前枠は、該前枠の前面部から前側方向に立設されて、前記前面カバー部材の前記閉鎖状態において、前記本体部から流下する遊技球を受ける球受け板を有し、前記球受け板は、前記排出通路側に向かって斜め下方向に傾斜して、上面に流下した遊技球を該排出通路に案内することを特徴とする。
【００１５】
更に、請求項９に係る遊技機は、請求項１乃至請求項８のいずれかに記載の遊技機において、前記前面カバー部材の下側に隣接して前記前枠の前面側の一部を覆うと共に、前記球受け皿から溢れた遊技球を貯留する下側球受け皿が前面側に配設された下側前面カバー部材を備え、前記排出通路は、前記下側球受け皿の下皿球出口に連通するように設けられていることを特徴とする。
【発明の効果】
【００１６】
請求項１に記載の発明によれば、外枠と、前記外枠の前面側に配置されて遊技盤を収容する前枠と、前記前枠の前面側に配置されて、払出装置から払い出される遊技球を貯留する球受け皿が前面側に配設された前面カバー部材と、を備え、前記前面カバー部材は、前記前枠を露出させる開放状態と、前記前枠を覆う閉鎖状態との間で移行可能とした遊技機において、前記前面カバー部材は、前記払出装置から払い出された遊技球を前記前枠の前面部から前記球受け皿の球出口まで案内する連通部材を有し、前記連通部材は、前記前面カバー部材が前記閉鎖状態から前記開放状態に移行する際に、該連通部材内に残った遊技球を一時的に保留可能な保留手段と、前記前面カバー部材が前記開放状態から前記閉鎖状態に移行する際に、前記保留手段に保留された遊技球を排出可能な排出手段と、を有し、前記排出手段によって排出された遊技球は、前記前枠の前面部に設けられた排出通路に案内されるように構成されているため、前面カバー部材を開放した際に、前面カバー部材の裏面に設けられた連通部材に残った遊技球が、遊技機の外側に落下するのを抑止することが可能となる。
【００１７】
請求項２に記載の発明によれば、前面カバー部材の閉鎖状態において、本体部内に球流入口から球出口まで連通する連通路が形成される。そして、前面カバー部材が閉鎖状態から開放状態に移行する際に、連通路の底面部が移動されて、該連通路内に残った遊技球が本体部内に流下して保留される。これにより、前面カバー部材を閉鎖した際に、本体部内に球流入口から球出口まで連通する連通路を形成することができると共に、前面カバー部材が閉鎖状態から開放状態に移行する際に、連通路内に残った遊技球を本体部内に流下させて保留することが可能となる。従って、前面カバー部材を開放した際に、連通路内に残った遊技球が、遊技機の外側に落下するのを抑止することが可能となる。
【００１８】
請求項３に記載の発明によれば、前面カバー部材が閉鎖状態から開放状態に移行する際に、クランク部材の第２板部が本体部の球受け皿に対して反対側の内側面に当接されて、クランク部材の第３板部によって本体部の下端部が閉鎖されて、該本体部内に保留スペースが形成される。これにより、前面カバー部材が閉鎖状態から開放状態に移行する際に、連通路内に残った遊技球が、本体部内に形成された保留スペースに流下して保留されるため、連通路内に残った遊技球が、遊技機の外側に落下するのを抑止することが可能となる。
【００１９】
請求項４に記載の発明によれば、前面カバー部材が開放状態から閉鎖状態に移行する際に、保留スペース内の遊技球を第２板部に形成された排出口から本体部内に排出して、該本体部の下方へ確実に排出することが可能となる。
【００２０】
請求項５に記載の発明によれば、第３板部の上面部は、第２板部から離れる従って高くなるように傾斜すると共に、第２板部の下端の側縁に沿った方向の断面が湾曲状に下方に窪むように形成されている。このため、前面カバー部材を閉鎖した際に、第３板部上の遊技球、つまり、保留スペース内の遊技球を第２板部の下端の側縁の略中央部に設けられた排出口からスムーズに排出して、本体部の下方に流下させることが可能となる。
【００２１】
請求項６に記載の発明によれば、第１板部の上面部は、第２板部から離れる従って高くなるように傾斜し、前面カバー部材の閉鎖状態において、第１板部の前枠側の側縁は、遊技球払出口の下端縁部に当接又は近接する。これにより、連通部材の球流入口から球受け皿の球出口まで連通する連通路の底面部が球受け皿に向かって低くなるように傾斜しているため、前枠の遊技球払出口から球受け皿へ遊技球をスムーズに払い出すことが可能となる。
【００２２】
請求項７に記載の発明によれば、クランク部材は、第２板部の第１板部側の面に所定高さ垂直に突出する案内ピンが設けられ、本体部の球受け皿に対して反対側の背面部に形成された貫通孔に嵌挿されている。そして、前面カバー部材の閉鎖状態において、案内ピンの少なくとも先端部が貫通孔に嵌挿されている。これにより、前面カバー部材の開閉時に、クランク部材が前後方向に移動する際の左右方向及び上下方向のガタツキを抑えることができ、クランク部材をスムーズに前後方向に移動させることが可能となる。その結果、第１板部上の遊技球を保留スペース内にスムーズに流下させ、また、第３板部上の遊技球を第２板部の排出口からスムーズに流下させることが可能となる。
【００２３】
請求項８に記載の発明によれば、前面カバー部材を閉鎖した際に、本体部から下方に流下した遊技球は、前枠の前面部に立設された球受け板上に流下して、排出通路に案内される。これにより、前面カバー部材を開放した際に、本体部内に形成された保留スペース内に保留された遊技球を、前面カバー部材を閉鎖した際に、前枠の前面部に設けられた排出通路に確実に排出することが可能となる。
【００２４】
請求項９に記載の発明によれば、前面カバー部材を開放した際に、連通部材に保留された遊技球を、前面カバー部材を閉鎖した際に、前枠の前面部に設けられた排出通路を介して下側球受け皿に排出することが可能となり、遊技球が遊技機の外側に落下するのを抑止することが可能となる。
【図面の簡単な説明】
【００２５】
【図１】本実施形態に係る遊技機の斜視図である。
【図２】遊技盤の正面図である。
【図３】図１に示した遊技機の裏側を示す図である。
【図４】ガラス枠及び下皿扉を開放した遊技機の斜視図である。
【図５】ガラス枠の開放状態における上皿連通部材内に配置されるクランク部材の作動状態を説明する断面図である。
【図６】ガラス枠の閉鎖状態における上皿連通部材内に配置されるクランク部材の作動状態を説明する断面図である。
【図７】上皿連通部材内に配置されるクランク部材の斜視図である。
【発明を実施するための形態】
【００２６】
以下、図面を参照しつつ本発明にかかる遊技機の一実施形態を図１乃至図７に基づいて説明する。先ず、本実施形態に係る遊技機１の概略構成について図１乃至図４に基づいて説明する。図１及び図２に示すように、遊技機１は、遊技媒体として遊技球を用いるパチンコ遊技機であって、遊技盤２の縁に外側誘導レール３および内側誘導レール４が略円形に配置され、上記外側誘導レール３および内側誘導レール４によって区画された部分には遊技球が発射される遊技領域６が上記遊技盤２上に設けられている。上記遊技領域６には遊技球を誘導する誘導釘Ｊが遊技盤２の表面に設けられている。
【００２７】
また、遊技機１の前面側には、装飾ランプ等からなるランプ装置３５、発射装置へ供給する遊技球と払い出された遊技球を受けるための上側球受け皿３６、該上側球受け皿３６の満杯時に遊技球を受けるための下側球受け皿３７、効果音等を発するスピーカ３８、遊技者の発射操作に応じて遊技球を上記遊技領域６へ向けて弾発発射するための発射装置６４、遊技者による操作可能な遊技ボタンスイッチ６７や上下左右ボタン６８等が設けられている。尚、図１における符号Ｗ１は遊技機の外枠、Ｗ２は外枠Ｗ１に取り付けられた前枠、Ｇは上記前枠Ｗ２に開閉可能にヒンジで取り付けられたガラス枠である。３２はガラス枠Ｇの下側に隣接して上記前枠Ｗ２に開閉可能にヒンジで取り付けられた下皿扉である。
【００２８】
下側球受け皿３７の底部には、図示しない球排出口が貫通形成されており、その球排出口が常には、シャッター部材２５によって塞がれている。そして、シャッター部材２５を水平にスライドさせて球排出口を開放すると、遊技球を下側球受け皿３７の下方に排出することができる。
【００２９】
遊技ボタンスイッチ６７及び上下左右ボタン６８は、上側球受け皿３６の手前側上面に設けられている。遊技ボタンスイッチ６７は、押下可能な押しボタンスイッチからなり、正しく操作されたことを検知する接点型のリミットセンサーが内蔵され、押下操作に対応した出力信号を出力可能に構成されている。上下左右ボタン６８は、それぞれ独立して操作可能な上ボタン、下ボタン、右ボタン及び左ボタンで構成され、十字形に配置されている。上ボタン、下ボタン、右ボタン及び左ボタンは、押下可能な押しボタンスイッチからなり、正しく操作されたことを検知する接点型のリミットセンサーが内蔵され、押下操作に対応した出力信号を出力可能に構成されている。
【００３０】
上記遊技盤２に設けられた遊技領域６の中央位置には、表示窓７が貫通形成されている。また、遊技盤２の裏面には、裏セット盤２１が取り付けられ、その裏セット盤２１の前面部には、表示装置１０が取り付けられている。そして、図２に示すように、表示装置１０の表示部（表示領域）１１が表示窓７を通して前方から視認可能に構成されている。
【００３１】
また、表示窓７の周縁部には、遊技盤２の前面側から突出して表示装置１０の表示部１１を囲むように包囲枠体８が装着されている。包囲枠体８の左辺部分における上下方向の略中央部から下端寄りの位置に渡る範囲には、所謂ワープ通路である案内通路部１３が設けられている。また、包囲枠体８の下辺部分には、案内通路部１３内を転動落下して排出された遊技球が転動可能な転動ステージ１５が、案内通路部１３に連続して設けられている。この案内通路部１３及び転動ステージ１５は、透明な樹脂で構成され、奥側の表示装置１０の表示部（表示領域）１１及び内部の遊技球が視認可能に構成されている。
【００３２】
また、遊技領域６には、中心線上の上部から下部に向かって順に表示装置１０、上側始動入賞口４１、下側始動入賞口４２、アウト口４８が配置されている。上記上側始動入賞口４１及び下側始動入賞口４２の左には左袖入賞口５１、左落とし入賞口５２が配置されている。また、上記案内通路部１３の下方には風車７６が設けられている。また、上記表示装置１０の右には右普通図柄変動開始用ゲート５６が設けられている。
【００３３】
また、上記上側始動入賞口４１及び下側始動入賞口４２の斜め右上方には、大入賞装置（特別入賞装置）４４が配置されている。また、大入賞装置４４の右側には右落とし入賞口５３、右袖入賞口５４が設けられている。上記左袖入賞口５１、左落とし入賞口５２、右落とし入賞口５３、右袖入賞口５４は、それぞれ上方から遊技球が入球可能な入球口を上部に有している。また、左袖入賞口５１と右袖入賞口５４の入賞球を検出する左袖入賞口用検出スイッチと右袖入賞口用検出スイッチ、上記左落とし入賞口５２と右落とし入賞口５３の入賞球を検出する左落とし入賞口用検出スイッチと右落とし入賞口用検出スイッチが、それぞれ対応する遊技盤２の背面に設けられている。
【００３４】
また、大入賞装置４４は、略横長箱体状に形成され、背面側に設けられた大入賞ソレノイド（不図示）によって開閉される正面視略横長四角形の開閉板４６を前面部に備えている。この大入賞装置４４は、通常は開閉板４６が閉じた状態とされ、左右方向のほぼ全幅に渡って前面部が開閉板４６によって覆われる。
【００３５】
そして、大入賞装置４４は、当否判定結果が大当たりの場合に実行される大当たり遊技（特典付与）時に、開閉板４６が所定ラウンドとして本実施形態では１５Ｒ（ラウンド）大当たりの場合には、１５ラウンド（２６秒開放又は１０個入賞が１５回）、若しくは、２Ｒ（ラウンド）大当たりの場合には、２ラウンド（６秒開放又は１０個入賞が２回）開放されて前方傾斜状態となり、左右方向のほぼ全幅に渡って設けられた正面視横長四角形の大入賞口（入賞口）４５に遊技球が入球可能となる。また、大入賞口４５内には、大入賞口４５に入賞（入球）した入賞球を検出する入賞球数カウントスイッチ（入賞球数カウントセンサ）が設けられている。
【００３６】
上側始動入賞口４１、下側始動入賞口４２、大入賞口４５、左袖入賞口５１、左落とし入賞口５２、右落とし入賞口５３、右袖入賞口５４は、上記遊技領域６に発射された遊技球が入賞（入球）可能な複数の入賞口（入賞領域）に相当する。上記の各入賞口（入賞領域）に遊技球が入賞して入賞（入球）が検出されると１入賞球の検出に対して所定個数の賞品球（遊技球）が遊技者に払い出される。上記１入賞球の検出に対する賞品球の払出個数は、上記入賞口毎に設定されている。
【００３７】
上記表示装置１０は、図柄等が表示可能なものであって、液晶、ドットマトリックスもしくはＬＥＤ表示装置等の画像表示装置からなる。本実施形態では、液晶表示器（ＴＦＴ−ＬＣＤモジュール）で構成されている。この表示装置１０（表示手段）は、表示部（表示領域）１１と、表示部１１の斜め左下隅部に表示される略四角形の普通図柄表示部５０と、第１保留球数に対応する演出保留画像９Ａを表示する第１演出保留エリアと、第２保留球数に対応する演出保留画像９Ｂを表示する第２演出保留エリアと、を有する。
【００３８】
表示部１１は、特別図柄を表示したり、所定の演出映像・画像を表示するために用いられる。表示部１１には、左右に並ぶ左特別図柄（左判定図柄、左識別情報）と中特別図柄（中判定図柄、中識別情報）と右特別図柄（右判定図柄、右識別情報）が、所定時間変動表示された後、所定の演出判定結果に基づき左特別図柄、中特別図柄、右特別図柄が確定停止特別図柄（確定停止判定図柄、確定停止識別情報）として停止表示される。この際、表示部１１には、上記特別図柄に加えて演出映像・画像（キャラクタ、背景、文字等）が表示されることもある。
【００３９】
普通図柄表示部５０は、記号あるいは絵（キャラクタ）等の普通図柄当たりを判定する普通図柄を変動表示および停止表示する。本実施形態における普通図柄表示部５０に変動および停止表示される普通図柄は、『○』と『×』の２種類からなり、普通図柄当たりの場合には当たり普通図柄『○』で停止表示され、一方、普通図柄外れの場合には外れ普通図柄『×』で停止表示される。
【００４０】
上記上側始動入賞口４１は、始動入賞領域に相当し、上方が開口した形状からなって遊技球が上方から入賞（入球）可能となっている。また、上記下側始動入賞口４２は、始動入賞領域に相当し、背面側に設けられた不図示の下側始動入賞口用ソレノイドによって開閉する開閉扉４２Ａを備えている。この下側始動入賞口４２は、通常時は開閉扉４２Ａが閉じた状態とされている。そして、上記普通図柄表示部５０で普通図柄が変動した後、普通図柄当たりを示す特定の普通図柄（本実施形態では『○』）で確定停止表示された時に、開閉扉４２Ａは、遊技球が入賞困難な閉じた状態と入賞容易な前面側へ開いた開状態間を変化可能に制御される。
【００４１】
また、上記遊技盤２の背面には、上側始動入賞口検出スイッチ（上側始動入賞口センサ）と下側始動入賞口検出スイッチ（下側始動入賞口センサ）が入賞球用通路に設けられており、上記上側始動入賞口４１と下側始動入賞口４２への遊技球のそれぞれの入賞（入球）を検出するように構成されている。本実施形態において上記上側始動入賞口４１及び下側始動入賞口４２への遊技球の入賞（入球）検出は、所定の乱数値（数値データ）を取得するための起因および上記特別図柄の変動表示開始の起因とされている。
【００４２】
上記上側始動入賞口４１及び下側始動入賞口４２への入賞に起因して取得した乱数値（数値データ）は、一旦保留記憶手段に記憶される。つまり、上記特別図柄（識別情報）の変動表示が保留されると共に、上記保留記憶手段に記憶した乱数値（数値データ）の記憶数（保留球数）、すなわち上記上側始動入賞口４１と下側始動入賞口４２への入賞回数が、それぞれ第１保留球数と第２保留球数として記憶される。
【００４３】
この第１保留球数と第２保留球数は、上記の通り、第１演出保留エリアと第２演出保留エリアにそれぞれ演出保留画像９Ａと演出保留画像９Ｂとして表示部１１に表示され、当否判定手段による当否判定が行われることに基づいて、この当否判定と対応する乱数値（数値データ）および第１保留球数又は第２保留球数の記憶値（保留数）が減算され、上記表示部１１で特別図柄（識別図柄）の変動表示が開始されることに基づいて、第１保留球数又は第２保留球数の表示を減らすようにしている。尚、本実施形態では、上記上側始動入賞口４１と下側始動入賞口４２への入賞回数記憶値の上限値、すなわち第１保留球数と第２保留球数の上限値は当該変動中の記憶を除いて、それぞれ４つに設定されている。
【００４４】
上記第１保留球数と第２保留球数が、それぞれ設定上限数（４つ）まで記憶されている時には、上記上側始動入賞口検出スイッチと下側始動入賞口検出スイッチがそれ以上上記上側始動入賞口４１と下側始動入賞口４２へ入賞（入球）した遊技球を検出しても、第１保留球数と第２保留球数として記憶されない無効球とされ、その無効球については特別図柄の変動および当否判定を行うことなく、入賞に対する賞品球（賞品遊技球）が所定数払い出される。
【００４５】
上記右普通図柄変動開始用ゲート５６は、上記遊技盤２の背面に設けられた右普通図柄変動開始スイッチで右普通図柄変動開始用ゲート５６を通過する遊技球を検出するように構成されている。そして、右普通図柄変動開始用ゲート５６を通過する遊技球が検出されることに基づいて上記普通図柄表示部５０で普通図柄の変動を開始させる。
【００４６】
また、上記右普通図柄変動開始用ゲート５６を遊技球が通過することによって発生する普通図柄の変動を、最高４つ普通図柄変動保留球数として記憶する。具体的には、普通図柄変動保留球数表示器（図示せず）で普通図柄変動保留球数値を点灯表示する。普通図柄が変動を開始すると、普通図柄変動保留球数を減らし、普通図柄変動保留球数表示器における表示個数を減らす。
【００４７】
上記発射装置６４は、操作レバー６５の操作により駆動する発射モータ（不図示）を裏側に有し、この発射モータの駆動により遊技球を遊技領域６に向けて発射する。具体的には、操作レバー６５を回動操作すると、上側球受け皿３６に貯留された遊技球が、図４に示す発射機構ユニット３４の球入口３４Ａに供給されて、１個ずつ発射装置６４に供給され、発射モータの回転により不図示の打撃槌が回動されて、操作レバー６５の回動量に対応した発射強度で遊技球が発射される。発射モータは、例えば、１分間に１００回転するように構成されている。つまり、例えば、１分間に１００球の遊技球を操作レバー６５の回動量に応じた発射強度で打ち出すことが可能となっている。
【００４８】
そして、この発射装置６４により発射された遊技球（発射球）は、発射レール６４Ａと、その発射レール６４Ａの先端側に配置されて遊技盤２の表面に立設された内側誘導レール４と外側誘導レール３間で構成される発射球誘導路２３（遊技球誘導部）を介して遊技領域６の上方部へ誘導される。遊技領域６の上方部に誘導された遊技球は、転動しつつ下方へ落下し、各入賞口４１、４２、５１、５２、５３、５４若しくは大入賞口４５に入賞（入球）するか、あるいは何処にも入賞しなければ上記アウト口４８から遊技盤２の裏側へ排出される。
【００４９】
また、遊技盤２の表面に立設された外側誘導レール３の下端部と、発射レール６４Ａの先端部との間は離隔されて、発射球誘導路２３の途中で失速した遊技球（戻り球）が下方（矢印６１方向である。）に落下する戻り球排出口６２が形成されている。そして、遊技球の発射時には、発射された発射球は、戻り球排出口６２を飛び越えて発射レール６４Ａから外側誘導レール３側へ進むこととなる。一方、戻り球排出口６２から下方に落下した遊技球（戻り球）６０は、後述のように、図４に示す戻り球案内通路（排出通路）３３に進入した後、戻り球案内通路３３内を転動落下して下側球受け皿３７に排出されるように構成されている。
【００５０】
上記遊技機１の裏側には、図３に示すように、複数の制御基板や装置等が設けられている。制御基板の主なものとして、主制御基板２００、サブ制御基板２０５、表示制御基板２１０、音声制御基板２２０、払出制御基板２４０、電源基板２５０、発射制御基板２６０等がある。符号２６５は外部端子、２８１は遊技球を払い出す払出装置、２８３は球無し検出スイッチ、２８９は球貯留タンク、２９１は球誘導樋である。尚、各制御基板には制御回路が設けられている。また、各制御基板は、単独でまたは複数まとめてケースに収納された状態で遊技機１の裏側に配置されている。
【００５１】
また、図１に示すように、前枠Ｗ２の操作レバー６５の上側には、前枠Ｗ２及びガラス枠Ｇを施錠する施錠装置（不図示）を操作するための鍵挿入部７１が設けられている。この鍵挿入部７１に所定のキーを挿入して所定方向、例えば、右方向に回せば、施錠装置のロック状態が解除されて、ガラス枠Ｇのみがオープンされ、下皿扉３２が開放可能となる。一方、鍵挿入部７１に所定のキーを挿入して所定方向に対して反対側方向、例えば、左方向に回せば、施錠装置のロック状態が解除されて、前枠Ｗ２、ガラス枠Ｇ及び下皿扉３２が一体的に外枠Ｗ１に対してオープンされる。
【００５２】
これにより、外枠Ｗ１に対して前枠Ｗ２、ガラス枠Ｇ及び下皿扉３２を一体的にオープンして、前枠Ｗ２の背面側に配置された主制御基板２００、サブ制御基板２０５、表示制御基板２１０、音声制御基板２２０、払出制御基板２４０、電源基板２５０、発射制御基板２６０等の修理交換が可能となる。尚、鍵挿入部７１に挿入する所定のキーは、遊技機１を管理する遊技機管理者によって保管管理されている。
【００５３】
図４に示すように、遊技機１は、遊技盤２が嵌め込まれた前枠Ｗ２が外枠Ｗ１の前面に取り付けられ、ヒンジを介して回動可能に連結されている。また、前枠Ｗ２の前面には、ガラス枠Ｇ及び下皿扉３２がヒンジを介して回動可能に連結されており、上記の通り前枠Ｗ２に対して開閉可能となっている。
【００５４】
ガラス枠Ｇには、ガラス板Ｇ１で塞がれた略円形の窓Ｇ２が設けられ、ガラス板Ｇ１越しに遊技領域６を視認することができる。また、ガラス枠Ｇの前面のうち、窓Ｇ２より下側には、上記上側球受け皿３６が一体に設けられている。一方、下皿扉３２は、横長構造をなしており、前枠Ｗ２の前面のうち、遊技盤２より下方部分を覆っている。また、下皿扉３２の前面には、上記下側球受け皿３７が一体に設けられている。
【００５５】
下皿扉３２の上辺とガラス枠Ｇの下辺は、前枠Ｗ２に対する閉鎖状態において互いに重なるように配置されている。つまり、ガラス枠Ｇを開放しないと下皿扉３２を開放することができず、下皿扉３２を閉めないとガラス枠Ｇを閉めることができない構造となっている。また、ガラス枠Ｇと前枠Ｗ２とを連結したヒンジとは反対側の側部（正面視右側部）には、前枠Ｗ２に対してガラス枠Ｇを閉止状態に保持する不図示の係合部が備えられている。
【００５６】
前枠Ｗ２の前面のうち遊技盤２の下方には、下皿扉３２によって前方から覆われた発射機構ユニット３４、及び戻り球案内通路３３が設けられている。発射機構ユニット３４は、前枠Ｗ２の前面のうち左右方向の略中央部に配設され、下皿扉３２の背面部には、発射機構ユニット３４の球入口３４Ａに対向する位置に、上側球受け皿３６に貯留された遊技球を供給する発射球供給口３１が設けられている。
【００５７】
その発射機構ユニット３４の側方に戻り球案内通路３３が配設されている。戻り球案内通路３３は、発射機構ユニット３４の発射レール６４Ａと外側誘導レール３との間に配置され、戻り球排出口６２から落下する戻り球６０を受け入れて、下皿扉３２の背面部に形成された下皿球入口３７Ｂに案内するように構成されている。そして、この下皿球入口３７Ｂに流入した遊技球は、図１に示す下皿球出口３７Ａから下側球受け皿３７内に排出されるように構成されている。
【００５８】
また、図４及び図５に示すように、前枠Ｗ２の前面部には、戻り球案内通路３３の発射機構ユニット３４に対して反対側の側方に、つまり、戻り球案内通路３３の前面左側方に、払出装置２８１から払い出された遊技球を上側球受け皿３６へ払い出すための略矩形状の球払出口７８が遊技盤２の直下に設けられている。一方、ガラス枠Ｇの背面には、窓Ｇ２の下方で球払出口７８に対向する位置に、球払出口７８から払い出された遊技球を上側球受け皿３６の上皿球出口３６Ａ（図１参照）へ誘導する略箱体状の上皿連通部材８１が後側に突出して配設されている。
【００５９】
また、戻り球案内通路３３の前面左側方には、ガラス枠Ｇを開いた際に、球払出流路７９に残った遊技球が球払出口７８から落下して遊技機１の外側に落下するのを防止する左右方向に長い横長板状の球受け板７８Ａが前枠Ｗ２の前面に立設されている。球受け板７８Ａは、上皿連通部材８１の下端面の前後方向の幅とほぼ同じ前後方向の幅で、球払出口７８の正面視左側縁の直下から戻り球案内通路３３の左側縁まで正面視右斜め下方向に傾斜するように設けられている。
【００６０】
また、球受け板７８Ａは、ガラス枠Ｇを閉鎖した状態のときに、上皿連通部材８１の下端面に対して遊技球の直径よりも大きい隙間、例えば、高さ約１２ｍｍ以上の隙間を形成するように設けられ、後述のように上皿連通部材８１の下端部から落下した遊技球を戻り球案内通路３３へ誘導するように設けられている。尚、球受け板７８Ａは、前側の側縁が後側の側縁よりも少し高くなるように斜め上方向に少し傾斜して、この球受け板７８Ａに落下した遊技球が前枠Ｗ２の前面に沿って戻り球案内通路３３へ流下するように構成してもよい。
【００６１】
図４乃至図６に示すように、上皿連通部材８１は、下方が開放された略箱体状に形成された本体部８２と、側面視クランク状に形成されたクランク部材８３と、本体部８２の上側球受け皿３６側の下端縁部からガラス枠Ｇ側に所定深さ窪む断面横長四角形状の案内凹部８５と、案内凹部８５内に配置される付勢部材の一例として機能する圧縮バネ８６と、から構成されている。
【００６２】
図４乃至図６に示すように、本体部８２は、上皿球出口３６Ａとほぼ同じ略矩形状で該上皿球出口３６Ａに連通する球流出口８２Ａがガラス枠Ｇ側の前面部に貫通して形成されている。また、本体部８２の前枠Ｗ２側の背面部８２Ｅには、該前枠Ｗ２の前面部に設けられた球払出口７８とほぼ同じ幅寸法で、この球払出口７８の高さ寸法よりもクランク部材８３の第１板部８３Ａの後側端縁部の厚さ分だけ大きい高さ寸法に形成された略矩形状の球流入口８２Ｂが、球流出口８２Ａに相対向するように貫通して形成されている。本体部８２の下端部は開放され、後述のように遊技球が落下する落下口８２Ｃが形成されている。
【００６３】
図５乃至図７に示すように、本体部８２内に前後方向に移動可能に配設されるクランク部材８３は、平面視矩形状で本体部８２の背面部に形成された球流入口８２Ｂに嵌入されて、底面部が該球流入口８２Ｂの下端縁部に摺動可能に当接される第１板部８３Ａと、第１板部８３Ａの上側球受け皿３６側の側縁から略直角下方へ案内凹部８５の下端縁部に対向する位置まで延出された正面視略矩形状の第２板部８３Ｂと、第２板部８３Ｂの下端の側縁から略直角に上側球受け皿３６側へ第１板部８３Ａよりも前後方向の長さが所定長さ（例えば、約１０ｍｍである。）長くなるように延出されて、上側球受け皿３６側の端縁部が案内凹部８５に摺動移動可能に嵌入される平面視矩形状の第３板部８３Ｃとから基本的に構成されている。
【００６４】
また、第２板部８３Ｂの上側球受け皿３６に対して反対側の背面部には、正面視左下角部に、所定径（例えば、直径３ｍｍである。）の案内ピン８３Ｄが、第１板部８３Ａの先端部に対向する高さまで垂直に突出している。この案内ピン８３Ｄは、本体部８２の背面部８２Ｅに形成された貫通孔８２Ｄに摺動移動可能に嵌挿されている。
【００６５】
尚、本体部８２の背面部８２Ｅは、球流入口８２Ｂと貫通孔８２Ｄが貫通して形成された正面視略矩形状の平板部で構成されている。そして、この平板部は、クランク部材８３の第１板部８３Ａが球流入口８２Ｂに嵌挿されると共に、案内ピン８３Ｄが貫通孔８２Ｄに嵌挿された後、案内凹部８５内に圧縮バネ８６を挿入した状態で、第３板部８３Ｃの後端部が案内凹部８５に嵌入されて圧縮バネ８６を押圧した状態でネジ止め等によって取り付けられる。また、クランク部材８３の左右方向両側縁部と本体部８２の左右方向両側の内側面との各隙間は、遊技球の半径以下の隙間、例えば、約０．５ｍｍ〜１ｍｍ以下の隙間に形成され、クランク部材８３は前後方向にスムーズに移動可能に設けられている。
【００６６】
従って、図５に示すように、クランク部材８３は、ガラス枠Ｇが開放された状態では、圧縮バネ８６によって上側球受け皿３６に対して反対側、つまり、背面側へ押圧されて、第２板部８３Ｂが本体部８２の上側球受け皿３６に対して反対側に位置する背面部８２Ｅの内側面８２Ｆに当接される。また同時に、第３板部８３Ｃによって本体部８２の下端部、つまり、落下口８２Ｃが閉鎖されて、本体部８２内に遊技球を所定個数（例えば、１０個である。）保留可能な保留スペース８７が形成される。
【００６７】
図５乃至図７に示すように、クランク部材８３の第１板部８３Ａは、上面部が第２板部８３Ｂから離れるに従って高くなるように上方へ傾斜している。また、図６に示すように、ガラス枠Ｇを閉鎖した状態において、該第１板部８３Ａの前枠Ｗ２側の端面の上端縁部は、球払出口７８の下端縁部に当接又は近接している。また、ガラス枠Ｇを閉鎖した状態において、第１板部８３Ａの上面部の上側球受け皿３６側の端縁部は、球流出口８２Ａの下端縁部に当接又は近接している。
【００６８】
これにより、図６に示すように、ガラス枠Ｇを閉鎖した状態において、第１板部８３Ａは、球払出口７８から上皿球出口３６Ａに連通する断面略矩形状の連通路８８の上側球受け皿３６に向かって斜め下方向に傾斜した底面部を構成し、球払出流路７９から上皿球出口３６Ａへスムーズに遊技球を案内する。また、図５に示すように、ガラス枠Ｇを開放した際に、連通路８８内に残った遊技球は、第１板部８３Ａの上面部を球流出口８２Ａ側へ転動して、本体部８２内に形成された保留スペース８７内に流下し、該保留スペース８７内に保留される。
【００６９】
図５乃至図７に示すように、クランク部材８３の第３板部８３Ｃは、上面部が第２板部８３Ｂから離れるに従って高くなるように上方へ傾斜すると共に、第２板部８３Ｂの下端縁部に沿った左右方向の断面の上端部が湾曲状に下方に窪むように形成されている。一方、クランク部材８３の第２板部８３Ｂには、第３板部８３Ｃ上の遊技球が流下可能な排出口８３Ｅが、第１板部８３Ａの下端面から第３板部８３Ｃの上端面にほぼ達する高さで、第２板部８３Ｂの下端の側縁の略中央部に位置するように貫通して形成されている。
【００７０】
この排出口８３Ｅは、下端縁部が第３板部８３Ｃの上面部に連続するように下方に湾曲状に窪むように形成されると共に、正面視左右方向の幅寸法は遊技球の直径の２倍以上に形成され、第３板部８３Ｃ状の遊技球が排出口８３Ｅからスムーズに流下可能に構成されている。尚、案内ピン８３Ｄは、第２板部８３Ｂの正面視左下角部に限らず、排出口８３Ｅの周縁部において、任意の位置に立設されてもよい。
【００７１】
従って、図５及び図６に示すように、ガラス枠Ｇを開放した際に、本体部８２の保留スペース８７内に遊技球が保留されている場合には、ガラス枠Ｇを閉鎖した際に、クランク部材８３の第３板部８３Ｃは、圧縮バネ８６の付勢力に抗して案内凹部８５内を上側球受け皿３６側方向へ摺動移動されて、第２板部８３Ｂが本体部８２の上側球受け皿３６側の内側面に当接又は近接される。この結果、第３板部８３Ｃ上の遊技球は、第３板部８３Ｃの上面部を第２板部８３Ｂ側へ転動して、この第２板部８３Ｂに形成された排出口８３Ｅから排出され、本体部８２の落下口８２Ｃから下方に落下する。
【００７２】
そして、落下口８２Ｃから落下した遊技球は、落下口８２Ｃの下方に位置する球受け板７８Ａ上に落下して、この球受け板７８Ａ上を正面視斜め右下方向へ転動して戻り球案内通路３３内に流入し、上述のように、下皿球入口３７Ｂ及び下皿球出口３７Ａを通って、下側球受け皿３７内に排出される。また、クランク部材８３の第１板部８３Ａは、球払出口７８から上皿球出口３６Ａに連通する断面略矩形状の連通路８８を再度、構成する。
【００７３】
以上詳細に説明した通り、本実施形態に係る遊技機１では、ガラス枠Ｇを開放した際に、上皿連通部材８１の本体部８２内に構成された連通路８８に残った遊技球が、この本体部８２内に構成された保留スペース８７に流下して保留される。これにより、ガラス枠Ｇを開放した際に、上皿連通部材８１の本体部８２内に残った遊技球が、遊技機１の外側に落下するのを抑止することが可能となる。
【００７４】
また、ガラス枠Ｇを閉鎖した際に、本体部８２の保留スペース８７内に保留された遊技球は、クランク部材８３の第２板部８３Ｂに形成された排出口８３Ｅから排出されて、本体部８２の落下口８２Ｃから下方に落下し、前枠Ｗ２の前面部に立設された球受け板７８Ａ上に落下する。そして、球受け板７８Ａ上に落下した遊技球は、戻り球案内通路３３に案内されて、下側球受け皿３７内に排出される。これにより、ガラス枠Ｇを開放した際に、上皿連通部材８１の本体部８２内に構成された連通路８８に残った遊技球を、ガラス枠Ｇを閉鎖した際に、下側球受け皿３７内に排出することができ、遊技機１の外側に落下するのを抑止することが可能となる。
【００７５】
また、クランク部材８３の第３板部８３Ｃの上面部は、第２板部８３Ｂから離れる従って高くなるように傾斜すると共に、第２板部８３Ｂの下端の側縁に沿った方向の断面が湾曲状に下方に窪むように形成されている。このため、ガラス枠Ｇを閉鎖した際に、第３板部８３Ｃ上の遊技球、つまり、保留スペース８７内の遊技球を第２板部８３Ｂの下端の側縁の略中央部に設けられた排出口８３Ｅからスムーズに排出して、本体部８２の下方に流下させ、落下口８２Ｃから下方に落下させることが可能となる。
【００７６】
また、クランク部材８３の第１板部８３Ａの上面部は、第２板部８３Ｂから離れる従って高くなるように傾斜し、ガラス枠Ｇの閉鎖状態において、第１板部８３Ａの前枠Ｗ２側の側縁は、球払出口７８の下端縁部に当接又は近接する。これにより、上皿連通部材８１の球流入口８２Ｂから上側球受け皿３６の上皿球出口３６Ａまで連通する連通路８８の底面部が上側球受け皿３６に向かって低くなるように傾斜しているため、前枠Ｗ２の球払出口７８から上側球受け皿３６へ遊技球をスムーズに払い出すことが可能となる。
【００７７】
また、クランク部材８３は、第２板部８３Ｂの第１板部８３Ａ側の面に所定高さ垂直に突出する案内ピン８３Ｄが設けられ、本体部８２の上側球受け皿３６に対して反対側に位置する背面部８２Ｅに形成された貫通孔８２Ｄに嵌挿されている。そして、ガラス枠Ｇの閉鎖状態において、案内ピン８３Ｄの少なくとも先端部が貫通孔８２Ｄに嵌挿されている。これにより、ガラス枠Ｇの開閉時に、クランク部材８３が前後方向に移動する際の左右方向及び上下方向のガタツキを抑えることができ、クランク部材８３をスムーズに前後方向に移動させることが可能となる。その結果、第１板部８３Ａ上の遊技球を保留スペース８７内にスムーズに流下させ、また、第３板部８３Ｃ上の遊技球を第２板部８３Ｂの排出口８３Ｅからスムーズに流下させることが可能となる。
【００７８】
また、ガラス枠Ｇを閉鎖した際に、上皿連通部材８１の本体部８２から下方に落下した遊技球は、前枠Ｗ２の前面部に立設された球受け板７８Ａ上に流下して、戻り球案内通路３３に案内される。これにより、ガラス枠Ｇを開放した際に、上皿連通部材８１の本体部８２内に形成された保留スペース８７内に保留された遊技球を、ガラス枠Ｇを閉鎖した際に、前枠Ｗ２の前面部に設けられた戻り球案内通路３３内に確実に案内し、下皿扉３２に設けられた下皿球入口３７Ｂ及び下皿球出口３７Ａを通って、下側球受け皿３７内に排出することが可能となる。
【００７９】
尚、本発明は前記実施形態に限定されることはなく、本発明の要旨を逸脱しない範囲内で種々の改良、変形が可能であることは勿論である。例えば、以下のようにしてもよい。
【００８０】
［他の第１実施形態］
（Ａ）例えば、第１板部８３Ａの上面部は、第２板部８３Ｂの上端縁部に沿った左右方向の断面の上端部が湾曲状に下方に窪むように形成されてもよい。これにより、ガラス枠Ｇを開放した際に、第１板部８３Ａ上の遊技球をスムーズに保留スペース８７内に流下させることが可能なる。
【００８１】
［他の第２実施形態］
（Ｂ）また、例えば、案内凹部８５をガラス枠Ｇの背面部に別体で形成し、又は、上側球受け皿３６の背面部に形成してもよい。そして、上皿連通部材８１の本体部８２は、下方及び上側球受け皿３６側が開放される略箱体状に構成してもよい。この場合には、先ず、本体部８２の背面部８２Ｅに形成された球流入口８２Ｂにクランク部材８３の第１板部８３Ａを嵌挿すると共に、本体部８２の背面部８２Ｅに形成された貫通孔８２Ｄにクランク部材８３の案内ピン８３Ｄを嵌挿するようにしてもよい。その後、案内凹部８５内に圧縮バネ８６を挿入した状態で、第３板部８３Ｃの後端部が案内凹部８５に嵌入されて圧縮バネ８６を押圧した状態で、当該本体部８２がガラス枠Ｇの背面部にネジ止め等によって取り付けられるようにしてもよい。
【符号の説明】
【００８２】
１      遊技機
２      遊技盤
３６      上側球受け皿
７８      球払出口
８１      上皿連通部材
２８１      払出装置
Ｇ      ガラス枠
Ｗ１      外枠
Ｗ２      前枠
【図１】
2018019757.tif 000003
【図２】
2018019757.tif 000004
【図３】
2018019757.tif 000005
【図４】
2018019757.tif 000006
【図５】
2018019757.tif 000007
【図６】
2018019757.tif 000008
【図７】
2018019757.tif 000009